(57)【要約】      （修正有）【課題】取り出し調節し易いスパナ収容台の提供。【解決手段】一種の取り出し調節しやすいスパナ収容台の構造に関わるものである。主収容台、副収容台より構成する。主収容台はパネルを設け、副収容台を覆う。主収容台と副収容台又は副収容台とパネルとの間に、旋軸構造を形成する。旋軸構造により、主収容台と副収容台を固定するほか、副収容台は旋軸構造を旋軸とし側面に振り回して、傾けて工具の取り出しに便利する。一方、副収容台を原点位置に回したとき、主収容台に傾けていたスパナ工具は、主収容台にぶつかり、主収容台によって、まっすぐに整理され、主収容台の平面に貼り付ける。【選択図】図１
0003131955.tif 000002
【実用新案登録請求の範囲】
【請求項１】
主収容台及び副収容台を含み、
該主収容台に複数の収容孔を設け、
該副収容台に複数の収容孔を設け、副収容台は主収容台の側面に貼り付け、副収容台と主収容台の貼り付け表面を密着させ、貼り付けの側面同士に対応して旋軸構造を設け、結合した後、副収容台は旋軸構造により、側面に貼り付けながら所定の角度に振り回して、工具を取り出す又は復位して整然に整理することを特徴とする取り出し調節し易いスパナ収容台。
【請求項２】
該主収容台は側面から延ばしてパネルを設け、該パネルは局部的に副収容台を覆うことを特徴とする請求項１記載の取り出し調節し易いスパナ収容台。
【請求項３】
該主収容台及び副収容台を覆うパネルに旋軸構造の凹み穴を設け、副収容台は凹み穴に対応して、主収容台、パネルに突き出す突起棒を設け、突起棒と凹み穴を組み合わせて、旋軸構造を形成することを特徴とする請求項１又は請求項２記載の取り出し調節し易いスパナ収容台。
【請求項４】
該旋軸構造は栓を設け、該栓はパネルの貫通孔を貫通して、副収容台に締めつけることを特徴とする請求項１又は請求項２記載の取り出し調節し易いスパナ収容台。
【請求項５】
該旋軸構造は栓を設け、該栓はパネルの貫通孔より副収容台の貫通孔を貫通して、主収容台に締めつけることを特徴とする請求項１又は請求項２記載の取り出し調節し易いスパナ収容台。
【請求項６】
該旋軸構造は栓を設け、該栓は主収容台の貫通孔より副収容台の貫通孔を貫通して、パネルに締めつけることを特徴とする請求項１又は請求項２記載の取り出し調節し易いスパナ収容台。
【請求項７】
該パネルに旋軸構造の突起棒を設け、副収容台は突起棒に対応して、凹み穴を設けることを特徴とする請求項１又は請求項２記載の取り出し調節し易いスパナ収容台。
【請求項８】
該パネルに旋軸構造の凹み穴を設け、副収容台は凹み穴に対応して、突起棒を設けることを特徴とする請求項１又は請求項２記載の取り出し調節し易いスパナ収容台。
【請求項９】
該主収容台に旋軸構造の凹み穴を設け、副収容台は凹み穴に対応して、突起棒を設けることを特徴とする請求項１又は請求項２記載の取り出し調節し易いスパナ収容台。
【請求項１０】
該主収容台に旋軸構造の突起棒を設け、副収容台は突起棒に対応して、凹み穴を設けることを特徴とする請求項１又は請求項２記載の取り出し調節し易いスパナ収容台。
【請求項１１】
該主収容台に旋軸構造の皿穴を設け、副収容台は対応してフックを備える弾性突起棒を設け、弾性突起棒を皿穴圧迫して装入することにより、フックは突起棒が逆方向へ抜け出すことを防止できることを特徴とする請求項１記載の取り出し調節し易いスパナ収容台。
【請求項１２】
該副収容台は旋軸構造を備える貫通孔を設け、栓により該貫通孔を貫通して、主収容台に締めつけることを特徴とする請求項１記載の取り出し調節し易いスパナ収容台。
【請求項１３】
該主収容台表面の旋軸構造は、内向きの輪状階段孔を設け、副収容台は輪状円柱を設け、円柱の周辺にフックを形成することを特徴とする請求項１記載の取り出し調節し易いスパナ収容台。
【請求項１４】
該主収容台は旋軸構造備える突起棒を設け、副収容台は貫通孔を設けて突起棒を通し、栓は副収容台に備える貫通孔の他端より突起棒に備える取付け孔を通して、副収容台を主収容台から離れないように、振り回しを制限することを特徴とする請求項１記載の取り出し調節し易いスパナ収容台。
【考案の詳細な説明】
【技術分野】
【０００１】
本考案は一種の六角スパナの収容台技術、特に一種の取り出し調節しやすいスパナ収容台の構造に関わるものである。主収容台と副収容台は旋軸構造により固定し、副収容台は旋軸構造により、振り回し又は復位させ、取り出しに便利を与える。
【背景技術】
【０００２】
従来の六角スパナは多種類の規格に合わせるため、様々な規格の六角スパナを製作している。しかしながら、２本以上を装備すると、問題を引き起す。つまり、六角スパナは紛失しやすいため、必要な規格をなくすと、問題をきたす。このため、収容するための六角スパナ収容台が考案された。収容台に複数の貫通孔を設けて、数本の六角スパナを収容し固定する。
【０００３】
この種の収容台は使いやすいが、収容空間は限られている。特にサイズの大きい六角スパナを数本収容することで、かなりのスペースを要する。そこで、２層式の六角スパナ収容台を開発された。２層式の収容空間により、同じ幅に２倍の収容空間を有する。
【０００４】
ただし、公知技術の六角スパナ収容台は、前列に置いた六角スパナは後部列の収容台に妨げられる。このため、その列に収容した六角スパナの取り出しに手間がかかる。一方、当該六角スパナを収容するときも同じく邪魔されて、整然に配列することができない。
【０００５】
前記の公知技術におかれている課題を鑑みて、一種のより理想的、かつ、実用な斬新機構は、消費者の希望であり、関連業者の研究目標と方向である。
【０００６】
本考案者はこの点を鑑みて、長年に於ける関連製品の研究開発と製造設計経験に基づいて、前記の目標に対し、設計及び慎重な評価を行った結果、実用性の高い本考案を考案した。
【考案の開示】
【考案が解決しようとする課題】
【０００７】
公知技術の六角スパナ収容台は２層式で多くの六角スパナを収容できるが、取り出し又は収容するとき、大面積の収容台に邪魔され、使用上の不便を与える。また、六角スパナを収容した後、六角スパナをそれぞれ収容位置に整理しなければならない。このため、実用性を欠けるほか、面倒である。
【０００８】
主収容台と副収容台を有し、主収容台にパネルを設ける。そのうち、主収容台、副収容台又は副収容台とパネルとの間に旋軸構造を設ける。該旋軸構造により、主収容台と副収容台は旋転して固定できる。副収容台は旋軸構造により旋転して、傾斜方向に振り回して、工具の取り出しに便利する。引き続き、副収容台を旋転して復位させ、主収容台に傾けていた工具を整然に主収容台の平面に貼り付ける、一種の取り出し調節し易いスパナ収容台の構造を提供することを本発明の主な目的である。
【課題を解決するための手段】
【０００９】
請求項１の考案は、主収容台及び副収容台を含み、
該主収容台に複数の収容孔を設け、
該副収容台に複数の収容孔を設け、副収容台は主収容台の側面に貼り付け、副収容台と主収容台の貼り付け表面を密着させ、貼り付けの側面同士に対応して旋軸構造を設け、結合した後、副収容台は旋軸構造により、側面に貼り付けながら所定の角度に振り回して、工具を取り出す又は復位して整然に整理することを特徴とする取り出し調節し易いスパナ収容台としている。
請求項２の考案は、該主収容台は側面から延ばしてパネルを設け、該パネルは局部的に副収容台を覆うことを特徴とする請求項１記載の取り出し調節し易いスパナ収容台としている。
請求項３の考案は、該主収容台及び副収容台を覆うパネルに旋軸構造の凹み穴を設け、副収容台は凹み穴に対応して、主収容台、パネルに突き出す突起棒を設け、突起棒と凹み穴を組み合わせて、旋軸構造を形成することを特徴とする請求項１又は請求項２記載の取り出し調節し易いスパナ収容台としている。
請求項４の考案は、該旋軸構造は栓を設け、該栓はパネルの貫通孔を貫通して、副収容台に締めつけることを特徴とする請求項１又は請求項２記載の取り出し調節し易いスパナ収容台としている。
請求項５の考案は、該旋軸構造は栓を設け、該栓はパネルの貫通孔より副収容台の貫通孔を貫通して、主収容台に締めつけることを特徴とする請求項１又は請求項２記載の取り出し調節し易いスパナ収容台としている。
請求項６の考案は、該旋軸構造は栓を設け、該栓は主収容台の貫通孔より副収容台の貫通孔を貫通して、パネルに締めつけることを特徴とする請求項１又は請求項２記載の取り出し調節し易いスパナ収容台としている。
請求項７の考案は、該パネルに旋軸構造の突起棒を設け、副収容台は突起棒に対応して、凹み穴を設けることを特徴とする請求項１又は請求項２記載の取り出し調節し易いスパナ収容台としている。
請求項８の考案は、該パネルに旋軸構造の凹み穴を設け、副収容台は凹み穴に対応して、突起棒を設けることを特徴とする請求項１又は請求項２記載の取り出し調節し易いスパナ収容台としている。
請求項９の考案は、該主収容台に旋軸構造の凹み穴を設け、副収容台は凹み穴に対応して、突起棒を設けることを特徴とする請求項１又は請求項２記載の取り出し調節し易いスパナ収容台としている。
請求項１０の考案は、該主収容台に旋軸構造の突起棒を設け、副収容台は突起棒に対応して、凹み穴を設けることを特徴とする請求項１又は請求項２記載の取り出し調節し易いスパナ収容台としている。
請求項１１の考案は、該主収容台に旋軸構造の皿穴を設け、副収容台は対応してフックを備える弾性突起棒を設け、弾性突起棒を皿穴圧迫して装入することにより、フックは突起棒が逆方向へ抜け出すことを防止できることを特徴とする請求項１記載の取り出し調節し易いスパナ収容台としている。
請求項１２の考案は、該副収容台は旋軸構造を備える貫通孔を設け、栓により該貫通孔を貫通して、主収容台に締めつけることを特徴とする請求項１記載の取り出し調節し易いスパナ収容台としている。
請求項１３の考案は、該主収容台表面の旋軸構造は、内向きの輪状階段孔を設け、副収容台は輪状円柱を設け、円柱の周辺にフックを形成することを特徴とする請求項１記載の取り出し調節し易いスパナ収容台としている。
請求項１４の考案は、該主収容台は旋軸構造備える突起棒を設け、副収容台は貫通孔を設けて突起棒を通し、栓は副収容台に備える貫通孔の他端より突起棒に備える取付け孔を通して、副収容台を主収容台から離れないように、振り回しを制限することを特徴とする請求項１記載の取り出し調節し易いスパナ収容台としている。
【考案の効果】
【００１０】
１．公知技術は取り出し又は収容の利便性を欠けるため、取り出し不便のほか、配列するときに手間がかかり、収容するときに、特定角度でなければ、順調に収容することができない。さらに収容した後、整列して方向整理必要があるため、使用に不便を与える。一方、本考案は主収容台と副収容台を合わせ位置に回して、空間を取らない収容ができる。なお、使用するとき、副収容台を回して傾斜状態にし、スパナの取り出し及び収容は順調に行える。
２．公知技術のスパナを収容した後、それぞれのスパナ整然に整理しなければならないため、利用に煩わしさを与える。これに対して、本考案のスパナ工具はすべて主収容台に傾けて収容するため、副収容台を旋転した後、工具は主収容台にぶつかり、整然に配列され、主収容台の平面へ整然に配列される。
【考案を実施するための最良の形態】
【００１１】
本考案の取り出し調節し易いスパナ収容台の構造は、図１、図２、図３の一好ましい実施例の立体、平面、正面概略図に示すとおり、該収容台１は以下の構成要素を有する。
【００１２】
主収容台１０を設け、該主収容台１０に複数の規格に従って配列された収容孔１１を有する。主収容台１０は表面１２の一端よりパネル１３を延ばして設け、該パネル１３は副収容台２０を局部的に覆う。
【００１３】
副収容台２０を設け、該副収容台２０に複数の規格に従って配列された収容孔２１を有する。副収容台２０の表面２２を主収容台１０の表面１２に貼り付ける。副収容台２０と主収容台１０との隣接表面１２、２２を滑らかにする。さらに、隣接表面１２、２２同士に旋軸構造３０を設け、結合した後、副収容台２０を所定の角度に振り回して、工具を取り出す又は元の位置に復位する共に、主収容台１０により、主収容台１０に傾けていた工具を整然に整理する。
【００１４】
図４は本考案の副収容台２０の動作概略図である。該収容台１の主収容台１０に複数の収容孔１１（図１）を設け、該複数の収容孔１１に各種規格の六角スパナ工具６０を収容する。該収容台１の副収容台２０も複数の収容孔２１（図１）を設ける。該複数の収容孔２１に各種規格の六角スパナ工具６１を収容する。通常は主収容台１０に大きいサイズの工具６０を収容し、副収容台２０に小さいサイズの工具６１を収容する。主収容台１０に収容された工具６０を取り出すとき、工具６０両面の把持方向に邪魔がないため、取り出し又は収容に問題がない。ただし、副収容台２０に収容された工具６１を取り出すときに問題が発生する。工具６１の片面が主収容台１０の表面１２に寄りか掛かるため、工具６１を順調に把持できない。これに対して、本考案は旋軸構造３０（図５）を設けることにより、副収容台２０と主収容台１０は旋軸構造３０により固定される。なお、副収容台２０は旋軸構造３０を栓軸とし、側面へ所定の角度に振り回して傾けて、両面の把持方向から工具６１を把持できる。これに対して、副収容台２０は復位したとき、主収容台１０表面１２に傾けていた工具６１を自動的に素早く、整然に整理できる。この点は本考案の実用な考案である。
【００１５】
図５〜図１２は、各種旋軸構造の概略図である。図５に示す通り、該主収容台１０及び副収容台２０を覆うパネル１３に旋軸構造３０の凹み穴３１を有し、副収容台２０が凹み穴３１に対応して、主収容台１０、パネル１３に突き出す突起棒３２を設け、突起棒３２と凹み穴３１と組み合わせて旋軸構造３０を構成する。
【００１６】
図６に示す通り、該旋軸構造３０は栓３３を設け、該栓３３はパネル１３の貫通孔３３１より副収容台２０を通す。図７に示す通り、該旋軸構造３０は栓３４を設け、該栓３４はパネル１３の貫通孔３４１より副収容台２０の貫通孔３４２を通した後、主収容台１０に締めつける。図８に示す通り、該旋軸構造３０は栓３５を設け、該栓３５は主収容台10の貫通孔３５１より副収容台20の貫通孔３５２を通した後パネル１３にしめつける。図９に示す通り、該パネル１３は旋軸構造３０に合わせて突起棒３６を設け、副収容台２０は突起棒３６に対応して凹み穴３７を設ける。図１０に示す通り、該パネル１３は旋軸構造３０に合わせて凹み穴３８を設け、副収容台２０は凹み穴３８に対応して突起棒３９を設ける。図１１に示す通り、該主収容台１０は旋軸構造３０に合わせて凹み穴４１を設け、副収容台２０は凹み穴４１に対応して突起棒４２を設ける。図１２に示す通り、該パネル１０は旋軸構造３０に合わせて突起棒４３を設け、副収容台２０は突起棒４３に対応して凹み穴４４を設ける。
【００１７】
図１３、図１４、図１５の一好ましい実施例の立体、平面、正面概略図に示すとおり、該取り出し調節し易いスパナ収容台の構造に備える収容台１Ａは、さらに以下の構成要素を有する。
【００１８】
主収容台１０、該主収容台１０に複数の規格に従って配列された収容孔１１を有する。
【００１９】
副収容台２０、該副収容台２０に複数の規格に従って配列された収容孔２１を有する。副収容台２０の表面２２は主収容台１０の表面１２に貼り付ける、副収容台２０と主収容台１０の貼り付け表面１２、２２を整然に維持し、貼り付け表面１２、２２同士は図１６に示すとおり、旋軸構造３０を形成する。結合した後、副収容台２０を所定の角度に振り回して、工具を取り出す又は復位して整然に整理する。主収容台１０は主収容台１０に傾けていた工具を整然に整理する。
【００２０】
副収容台２０の表面に飾り縞２３を設ける。図１６から図２０は各種旋軸構造の概略図である。図１６に示す通り、該主収容台１０に旋軸構造３０の皿穴４５を設け、該皿穴４５は収容孔１１を貫通する。副収容台２０にフックの弾性突起棒４６を設け、弾性突起棒４６を皿穴４５に取り付けることにより、突起棒が逆方向に抜け出すことを防止できるほか、工具を収容孔１１空間に挿入することを妨げない。図１７に示す通り、該副収容台２０に旋軸構造３０を備えた貫通孔４７を設け、栓４８を該貫通孔４７に通して、主収容台１０に締めつける。図１８に示す通り、該主収容台１０表面１２の旋軸構造３０は内向きの輪状階段孔４９を設け、副収容台２０は輪状円柱５０を設ける。円柱５０の周辺にフック５１を設ける。図１９に示す通り、該主収容台１０に旋軸構造３０を備える皿穴５２を設け、該皿穴５２は二つの隣り合う収容孔１１より貫通する。副収容台２０に対応してフック５３を備えた弾性突起棒５３を設け、弾性突起棒５３を皿穴５２に圧迫して取り付けることにより、フック５１により突起棒が逆方向へ抜け出すことを防止し、二つの隣り合う収容孔１１に工具の装入空間を妨げない。図２０に示す通り、該主収容台１０に旋軸構造３０を備える突起棒５４を有し、副収容台２０に貫通孔５５を設けて、突起棒５４を通す。栓５６は副収容台２０に備える貫通孔５５の他端より突起棒５４に設ける取付け孔５４１に締めつけて、副収容台２０が主収容台１０を離れないように振り回す。
【００２１】
本考案による効果の向上は、以下の通りである。
１．一種の取り出し調節し易いスパナ収容台の構造の斬新機構を提供し、副収容台から工具を取り出すときは、側面へ振り回し、工具の取り出す又は収容に便利し、使用完了後は旋転して復位できる。
２．一種の取り出し調節し易いスパナ収容台構造の特集な改良構造を提供し、該構成部品に旋軸構造を利用し、副収容台を側面に振り回して、工具を取り出し、副収容台は旋転して復位したとき、主収容台に傾けていた工具を整然に整理するができる実用な考案である。
前記の説明により、本考案の取り出し調節し易いスパナ収容台の構造は本考案のすべての目的を確実に達成している。
【図面の簡単な説明】
【００２２】
【図１】本考案の一実施例の立体図である。
【図２】本考案の一実施例の平面図である。
【図３】本考案の一実施例の正面図である。
【図４】本考案の一実施例の動作概略図である。
【図５】本考案の一実施例の多種旋軸構造の概略図である。
【図６】本考案の一実施例の多種旋軸構造の概略図である。
【図７】本考案の一実施例の多種旋軸構造の概略図である。
【図８】本考案の一実施例の多種旋軸構造の概略図である。
【図９】本考案の一実施例の多種旋軸構造の概略図である。
【図１０】本考案の一実施例の多種旋軸構造の概略図である。
【図１１】本考案の一実施例の多種旋軸構造の概略図である。
【図１２】本考案の一実施例の多種旋軸構造の概略図である。
【図１３】本考案もう一つの実施例の立体図である。
【図１４】本考案もう一つの実施例の平面図である。
【図１５】本考案もう一つの実施例の正面図である。
【図１６】本考案もう一つの実施例の多種旋軸構造の概略図である。
【図１７】本考案もう一つの実施例の多種旋軸構造の概略である。
【図１８】本考案もう一つの実施例の多種旋軸構造の概略である。
【図１９】本考案もう一つの実施例の多種旋軸構造の概略である。
【図２０】本考案もう一つの実施例の多種旋軸構造の概略である。
【符号の説明】
【００２３】
１、１Ａ  収容台
１０  主収容台
１１、２１  収容孔
１２  表面
１３  パネル
２０  副収容台
２２  表面
２３  飾り縞
３０  旋軸構造
３１、３７、３８、４１、４４  凹み穴
３２、３６、３９、４２、４３、５４  突起棒
３３、３４、３５、４８、５６  栓
３３１、３４１、３４２、３５１、３５２  孔
４５、５２  皿穴
４６、５３  弾性突起棒
４７、５５  貫通孔
４９  輪状階段孔
５０  輪状円柱
５１  フック
５４１  取付け孔
６０、６１  工具
【図１】
0003131955.tif 000003
【図２】
0003131955.tif 000004
【図３】
0003131955.tif 000005
【図４】
0003131955.tif 000006
【図５】
0003131955.tif 000007
【図６】
0003131955.tif 000008
【図７】
0003131955.tif 000009
【図８】
0003131955.tif 000010
【図９】
0003131955.tif 000011
【図１０】
0003131955.tif 000012
【図１１】
0003131955.tif 000013
【図１２】
0003131955.tif 000014
【図１３】
0003131955.tif 000015
【図１４】
0003131955.tif 000016
【図１５】
0003131955.tif 000017
【図１６】
0003131955.tif 000018
【図１７】
0003131955.tif 000019
【図１８】
0003131955.tif 000020
【図１９】
0003131955.tif 000021
【図２０】
0003131955.tif 000022
【手続補正書】
【提出日】平成19年3月13日(2007.3.13)
【手続補正１】
【補正対象書類名】実用新案登録請求の範囲
【補正対象項目名】全文
【補正方法】変更
【補正の内容】
【実用新案登録請求の範囲】
【請求項１】
主収容台及び副収容台を含み、
該主収容台に複数の収容孔を設け、
該副収容台に複数の収容孔を設け、副収容台は主収容台の側面に貼り付け、副収容台と主収容台の貼り付け表面を密着させ、貼り付けの側面同士に対応して旋軸構造を設け、結合した後、副収容台は旋軸構造により、側面に貼り付けながら所定の角度に振り回して、工具を取り出す又は復位して整然に整理することを特徴とする取り出し調節し易いスパナ収容台。
【請求項２】
該主収容台は側面から延ばしてパネルを設け、該パネルは局部的に副収容台を覆うことを特徴とする請求項１記載の取り出し調節し易いスパナ収容台。
【請求項３】
該主収容台及び副収容台を覆うパネルに旋軸構造の凹み穴を設け、副収容台は凹み穴に対応して、主収容台、パネルに突き出す突起棒を設け、突起棒と凹み穴を組み合わせて、旋軸構造を形成することを特徴とする請求項１又は請求項２記載の取り出し調節し易いスパナ収容台。
【請求項４】
該旋軸構造は栓を設け、該栓はパネルの貫通孔を貫通して、副収容台に締めつけることを特徴とする請求項１又は請求項２記載の取り出し調節し易いスパナ収容台。
【請求項５】
該旋軸構造は栓を設け、該栓はパネルの貫通孔より副収容台の貫通孔を貫通して、主収容台に締めつけることを特徴とする請求項１又は請求項２記載の取り出し調節し易いスパナ収容台。
【請求項６】
該旋軸構造は栓を設け、該栓は主収容台の貫通孔より副収容台の貫通孔を貫通して、パネルに締めつけることを特徴とする請求項１又は請求項２記載の取り出し調節し易いスパナ収容台。
【請求項７】
該パネルに旋軸構造の突起棒を設け、副収容台は突起棒に対応して、凹み穴を設けることを特徴とする請求項２記載の取り出し調節し易いスパナ収容台。
【請求項８】
該パネルに旋軸構造の凹み穴を設け、副収容台は凹み穴に対応して、突起棒を設けることを特徴とする請求項２記載の取り出し調節し易いスパナ収容台。
【請求項９】
該主収容台に旋軸構造の凹み穴を設け、副収容台は凹み穴に対応して、突起棒を設けることを特徴とする請求項１又は請求項２記載の取り出し調節し易いスパナ収容台。
【請求項１０】
該主収容台に旋軸構造の突起棒を設け、副収容台は突起棒に対応して、凹み穴を設けることを特徴とする請求項１又は請求項２記載の取り出し調節し易いスパナ収容台。
【請求項１１】
該主収容台に旋軸構造の皿穴を設け、副収容台は対応してフックを備える弾性突起棒を設け、弾性突起棒を皿穴圧迫して装入することにより、フックは突起棒が逆方向へ抜け出すことを防止できることを特徴とする請求項１記載の取り出し調節し易いスパナ収容台。
【請求項１２】
該副収容台は旋軸構造を備える貫通孔を設け、栓により該貫通孔を貫通して、主収容台に締めつけることを特徴とする請求項１記載の取り出し調節し易いスパナ収容台。
【請求項１３】
該主収容台表面の旋軸構造は、内向きの輪状階段孔を設け、副収容台は輪状円柱を設け、円柱の周辺にフックを形成することを特徴とする請求項１記載の取り出し調節し易いスパナ収容台。
【請求項１４】
該主収容台は旋軸構造備える突起棒を設け、副収容台は貫通孔を設けて突起棒を通し、栓は副収容台に備える貫通孔の他端より突起棒に備える取付け孔を通して、副収容台を主収容台から離れないように、振り回しを制限することを特徴とする請求項１記載の取り出し調節し易いスパナ収容台。
【手続補正２】
【補正対象書類名】明細書
【補正対象項目名】０００９
【補正方法】変更
【補正の内容】
【０００９】
請求項１の考案は、主収容台及び副収容台を含み、
該主収容台に複数の収容孔を設け、
該副収容台に複数の収容孔を設け、副収容台は主収容台の側面に貼り付け、副収容台と主収容台の貼り付け表面を密着させ、貼り付けの側面同士に対応して旋軸構造を設け、結合した後、副収容台は旋軸構造により、側面に貼り付けながら所定の角度に振り回して、工具を取り出す又は復位して整然に整理することを特徴とする取り出し調節し易いスパナ収容台としている。
請求項２の考案は、該主収容台は側面から延ばしてパネルを設け、該パネルは局部的に副収容台を覆うことを特徴とする請求項１記載の取り出し調節し易いスパナ収容台としている。
請求項３の考案は、該主収容台及び副収容台を覆うパネルに旋軸構造の凹み穴を設け、副収容台は凹み穴に対応して、主収容台、パネルに突き出す突起棒を設け、突起棒と凹み穴を組み合わせて、旋軸構造を形成することを特徴とする請求項１又は請求項２記載の取り出し調節し易いスパナ収容台としている。
請求項４の考案は、該旋軸構造は栓を設け、該栓はパネルの貫通孔を貫通して、副収容台に締めつけることを特徴とする請求項１又は請求項２記載の取り出し調節し易いスパナ収容台としている。
請求項５の考案は、該旋軸構造は栓を設け、該栓はパネルの貫通孔より副収容台の貫通孔を貫通して、主収容台に締めつけることを特徴とする請求項１又は請求項２記載の取り出し調節し易いスパナ収容台としている。
請求項６の考案は、該旋軸構造は栓を設け、該栓は主収容台の貫通孔より副収容台の貫通孔を貫通して、パネルに締めつけることを特徴とする請求項１又は請求項２記載の取り出し調節し易いスパナ収容台としている。
請求項７の考案は、該パネルに旋軸構造の突起棒を設け、副収容台は突起棒に対応して、凹み穴を設けることを特徴とする請求項２記載の取り出し調節し易いスパナ収容台としている。
請求項８の考案は、該パネルに旋軸構造の凹み穴を設け、副収容台は凹み穴に対応して、突起棒を設けることを特徴とする請求項２記載の取り出し調節し易いスパナ収容台としている。
請求項９の考案は、該主収容台に旋軸構造の凹み穴を設け、副収容台は凹み穴に対応して、突起棒を設けることを特徴とする請求項１又は請求項２記載の取り出し調節し易いスパナ収容台としている。
請求項１０の考案は、該主収容台に旋軸構造の突起棒を設け、副収容台は突起棒に対応して、凹み穴を設けることを特徴とする請求項１又は請求項２記載の取り出し調節し易いスパナ収容台としている。
請求項１１の考案は、該主収容台に旋軸構造の皿穴を設け、副収容台は対応してフックを備える弾性突起棒を設け、弾性突起棒を皿穴圧迫して装入することにより、フックは突起棒が逆方向へ抜け出すことを防止できることを特徴とする請求項１記載の取り出し調節し易いスパナ収容台としている。
請求項１２の考案は、該副収容台は旋軸構造を備える貫通孔を設け、栓により該貫通孔を貫通して、主収容台に締めつけることを特徴とする請求項１記載の取り出し調節し易いスパナ収容台としている。
請求項１３の考案は、該主収容台表面の旋軸構造は、内向きの輪状階段孔を設け、副収容台は輪状円柱を設け、円柱の周辺にフックを形成することを特徴とする請求項１記載の取り出し調節し易いスパナ収容台としている。
請求項１４の考案は、該主収容台は旋軸構造備える突起棒を設け、副収容台は貫通孔を設けて突起棒を通し、栓は副収容台に備える貫通孔の他端より突起棒に備える取付け孔を通して、副収容台を主収容台から離れないように、振り回しを制限することを特徴とする請求項１記載の取り出し調節し易いスパナ収容台としている。